(57)【要約】【課題】  この発明の課題は、書籍対応型のスキャナで、本や雑誌などの画像を読み取るとき、見開き２ページ分を両面読取により１度で画像読取ができるようにすることである。さらに、綴じしろの部分も完全に読み取ることができるようにし、また、両面印刷された単票も１度に両面読取ができるようにすることである。【解決手段】  書籍対応型のスキャナで、ＣＣＤなどの光学系の読取手段を１つだけ備え、原稿面からの反射光を反射するミラーの角度を可変とし、両面を順次走査することができるように構成する。スキャナの頭頂部に、綴じしろ部分を読み取る専用の光学系の読取手段を備えるように構成する。ＣＣＤなどの光学系の読取手段を２つ備えた装置の場合、通常は書籍の見開き2ページを読み取る面を、スキャナ自体を左右2分割構造とし、スキャナの頭頂部を支点として回転させて読み取り面を向き合わせるように構成できるようにする。【選択図】            図１
2006197273.tif 000002
【特許請求の範囲】
【請求項１】
本や雑誌などの綴じた原稿を読み取るのに適した書籍対応型スキャナにおいて、
本体の左右に、本や雑誌などの両面見開きの画像を1回の読み取り処理で両面読み取りを行うことができる、読み取り面及び光学系の読取手段を備えた、
ことを特徴とする両面読取式書籍対応型スキャナ。
【請求項２】
本や雑誌などの綴じた原稿を読み取るのに適した書籍対応型スキャナにおいて、
綴じしろ部を専用に読み取る光学系の読取手段を備えた、
ことを特徴とする請求項１記載の両面読取式書籍対応型スキャナ。
【請求項３】
本や雑誌などの綴じた原稿を読み取るのに適した書籍対応型スキャナにおいて、
光学系の読取手段を２系統備え、本体自体が左右２分割構造で頭頂部を支点に一方の読取面を回転させ、読取面を向かい合わせることができる
ことを特徴とする請求項1記載の両面読取式書籍対応型スキャナ。
【発明の詳細な説明】
【技術分野】
【０００１】
この発明は、書籍対応型スキャナに関し、両面読み取り機能を実現するものである。
【背景技術】
【０００２】
通常のフラットベッド型のスキャナでは、本や雑誌などのように綴じた原稿を読み取る場合、原稿をフラットベッドの原稿置き用のガラス面に強く押し当て、綴じしろの部分もできるだけ読み取れるようにしていた。
【０００３】
しかしながら、厚みのある本などでは、綴じしろ部分をガラス面に密着させることは困難で、どうしても綴じしろ部分の抜けた画像読取となってしまうという問題があった。
【０００４】
このような問題を解決するため、書籍対応型スキャナが考案されている（特許文献１を参照）。
【０００５】
図４に示すような従来の書籍対応型スキャナでは、片面読取であるため、書籍の画像を読み取るためには、１ページずつ原稿を読み取り面に当てるようにしながら画像読取をしなければならず、見開き２ページ分を同時に読み取ることができず、また、両面印刷された単票の読取も片面ずつ読み取る必要があり、使いにくいものであった。
【０００６】
また、綴じしろ部分もフラットベッドほどではないが、完全に読み取ることができないという問題があった。
【０００７】
【特許文献１】特願２００４−３２９１３１号公報
【発明の開示】
【発明が解決しようとする課題】
【０００８】
前記のごとく、従来の技術では次のような問題点がある。
【０００９】
本や雑誌などのように、中央で綴じた原稿の画像を読み取る場合、フラットベッド型のスキャナでは、原稿台のガラス面に原稿となる本や雑誌を強く押し当て、綴じしろの部分もガラス面に密着するようにして読み取っていたが、厚みのある本などではどうしても綴じしろの部分が読み取れないという問題があった。
【００１０】
これを解決するため、書籍対応型のスキャナが考案されているが、片面読取であるため、書籍の画像を読み取るには、見開き２ページ分を片面ずつ読み取り面に当てて読み取るしかなく、また、単票でも両面印刷されている場合には、片面ずつ読み取るしかなく、使いにくいものであった。また、綴じしろ部分もフラットベッドほどではないが、完全に読み取ることができないという問題もあった。
【００１１】
この発明の課題は、書籍対応型のスキャナで、本や雑誌などの画像を読み取るとき、見開き２ページ分を両面読取により１度で画像読取ができるようにすることである。さらに、綴じしろの部分も完全に読み取ることができるようにし、また、両面印刷された単票も１度に両面読取ができるようにすることである。
【課題を解決するための手段】
【００１２】
前記の問題点を解決するために、この発明では次に示す手段を取った。
【００１３】
書籍対応型のスキャナで、ＣＣＤなどの光学系の読取手段を１つだけ備え、原稿面からの反射光を反射するミラーの角度を可変とし、両面を順次走査することができるように構成する。
【００１４】
書籍対応型のスキャナで、ＣＣＤなどの光学系の読取手段を２つ備え、原稿面からの反射光を見開き２ページ分同時に光学系の読取手段に入射するように構成し、両面を同時に走査することができるようにしてもよい。
【００１５】
書籍対応型のスキャナの頭頂部に、綴じしろ部分を読み取る専用の光学系の読取手段を備えるように構成する。
【００１６】
書籍対応型のスキャナで、ＣＣＤなどの光学系の読取手段を２つ備えた装置の場合、通常は書籍の見開き2ページを読み取る面を、スキャナ自体を左右2分割構造とし、スキャナの頭頂部を支点として回転させて読み取り面を向き合わせるように構成できるようにする。
【発明の効果】
【００１７】
この発明により、以下に示すような効果が期待できる。
【００１８】
書籍対応型のスキャナで、書籍の見開き2ページを1度に同時に画像読み取りすることができ、このとき綴じしろ部分も完全に読取が可能で、また、読取面を向かい合わせることで、両面印刷された単票についても両面を同時に画像読み取りすることが可能となる。
【発明を実施するための最良の形態】
【００１９】
この発明は、次に示す実施の形態を取った。
【００２０】
書籍対応型の縦型のスキャナで、左右両面の原稿を読み取ることができるように、一つのＣＣＤなどの光学系の読取手段を備え、原稿の反射光を反射してＣＣＤに反射光を導く反射ミラーの角度を可変とすることで、両面の画像を順次走査できるように構成する。
【００２１】
これにより、書籍の見開き２ページを順次画像読み取りすることができるようになる。
【００２２】
書籍対応型の縦型のスキャナで、ＣＣＤなどの光学系の読取手段を左右両面用に2系統備えるように構成し、見開き2ページの反射光を各ページ同時に読み取り手段に入射するようにしてもよい。
【００２３】
これにより、書籍の見開き2ページを一度に同時に画像読取を行うことができるようになる。
【００２４】
書籍対応型のスキャナの頭頂部に綴じしろの部分を読み取るための専用の光学系の読取手段を備えるようにする。
【００２５】
これにより、書籍の見開き２ページの綴じしろ部分の画像も完全に読み取ることができるようになる。
【００２６】
書籍対応型の縦型のスキャナで、ＣＣＤなどの光学系の読取手段を左右両面用に2系統備えており、左右二分割の構造とした場合、通常は書籍の見開き2ページを読み取る面を、スキャナの頭頂部を支点として回転させて読み取り面を向き合わせるように構成できるようにする。
【００２７】
これにより、両面印刷された単票を、向かい合った読取面の間に挟むことで、両面同時に画像読取を行うことができるようになる。
【実施例】
【００２８】
この発明による代表的な実施例を図によって説明する。なお、以下において、同じ箇所は同一の符号を付してあり、詳細な説明を省略することがある。
【００２９】
図１は、両面印刷を実行するための機構を示している。図１の（ａ）は、反射ミラー１の角度を９０度回転させることで、ランプ左２、ランプ右３の反射光をＣＣＤ４に導くことで、Ａ面、Ｂ面の原稿を順次読み取ることができるように構成している。
【００３０】
図１の（ｂ）は、三角形の反射ミラー１により、ランプ左２、ランプ右３の反射光を同時にＣＣＤ４に導くことで、Ａ面、Ｂ面の原稿を一度に同時に読み取ることができるように構成している。
【００３１】
光学ユニットをこのように構成することで、書籍対応型スキャナでの両面読み取りをできるようにしている。
【００３２】
本スキャナには、頭頂部に図２に示すような綴じしろ部分を読み取るための専用の光学読み取り手段を備えるようにしてもよい。これは、広角のレンズ５とＣＣＤ４を組み合わせたもので、画像に歪みが生じやすいので、補正を行って左右両面の読み取り画像とつなぎ合わせることで、綴じしろ部分の抜けのない両面見開きの画像読み取りを行うことができるようになっている。
【００３３】
また、図３の（ａ）に示すように、光学系ユニットを各々1つずつ備えた2分割構造の本体を、左右の画像読み取り面を向かい合うように回転させることができるように構成してもよい。
【００３４】
これにより、図３の（ｂ）に示すように、向かい合った画像読み取り面の間に単票を挟むことで、単票の両面読み取りをできるようにすることもできる。
【図面の簡単な説明】
【００３５】
【図１】両面読取機構の説明図である。
【図２】綴じしろ部分の読み取り機構説明図である。
【図３】単票の両面読み取り機構の説明図である。
【図４】従来の書籍対応型スキャナである。
【符号の説明】
【００３６】
１：反射ミラー
２：ランプ左
３：ランプ右
４：ＣＣＤ
５：広角のレンズ
【図１】
2006197273.tif 000003
【図２】
2006197273.tif 000004
【図３】
2006197273.tif 000005
【図４】
2006197273.tif 000006